(57)【特許請求の範囲】
【請求項１】
中央部に凹部を備えた上、下部厚肉補強板と該上、下部厚肉補強板間に所定の間隔を保持して位置せしめられた複数個の薄肉補強板と該薄肉補強板間および該上、下部厚肉補強板ならびに薄肉補強板の外周面を覆って一体に形成されたゴム弾性体とから成る積層ゴム支承体の該上、下部厚肉補強板の凹部には、円板状部と円柱状部とから成る係合部材がそれぞれ該円板状部を嵌合させ、該円柱状部を該凹部開口部より突出させて配されており、該凹部開口部より突出した係合部材の円柱状部には、中央部に貫通孔を備えた上、下部取付プレートが該貫通孔を嵌挿させて配されているとともに該積層ゴム支承体の上、下部厚肉補強板と上、下部取付プレートとはそれぞれボルトによって締結一体化されており、該積層ゴム支承体は上、下部取付プレートの貫通孔より突出した係合部材の円柱状部を構造物側取付部材と基礎側取付部材の係合孔にそれぞれ嵌合させて両取付部材間に配されているとともに該上、下部取付プレートはそれぞれ構造物側および基礎側取付部材に固定されていることを特徴とする積層ゴム支承構造。
【請求項２】
積層ゴム支承体はその中央部に貫通孔が上、下部厚肉補強板の凹部に開口して設けられており、該貫通孔には鉛プラグが挿入されてなる請求項１に記載の積層ゴム支承構造。
【発明の詳細な説明】
【０００１】
【発明の属する技術分野】
本発明は、建築、構築物等の構造物とその基礎との間に配され、該構造物を免震支持する積層ゴム支承構造に関するものである。
【０００２】
【発明が解決しようとする課題】
補強板とゴム弾性体との積層構造から成る積層ゴム支承は、従来から橋梁、高架道路等の上部構造（橋桁）の支持体として、また建築、構築物の免震工法における支持体として使用されている。この種の支持装置として本出願人は、実公平４−４２３６３号において、中央部に凹部を備えた上、下部厚肉補強板と該上、下部厚肉補強板間に所定の間隔を保持して位置せしめられた複数個の薄肉補強板とゴム弾性体とから成る積層ゴム支承体の該上、下部厚肉補強板の凹部にはそれぞれ係合駒が端部を突出させて嵌合されており、該凹部より突出した係合駒には中央部に凹部を備えた上、下部取付プレートがそれぞれ該凹部を嵌合させて配されており、該上、下部取付プレートは該積層ゴム支承体の上、下部厚肉補強板にそれぞれボルトによって締結一体化されてなる積層ゴム支承構造を提案した。
【０００３】
上記提案に係る積層ゴム支承体は、該積層ゴム支承体の上部取付プレートを構造物側取付部材に、下部取付プレートを基礎側取付部材にそれぞれボルト等の固定手段によって固定されて構造物とその基礎との間に配置される。このように構造物とその基礎との間に配置された積層ゴム支承体は、該積層ゴム支承体に地震等により大きな水平変位が生じた場合でも、構造物側および基礎側に固定される上、下部取付プレートと積層ゴム支承体の上、下部厚肉補強板とはボルトによって締結一体化されているため、該プレートと積層ゴム支承体との結合部分に乖離を生じることなく、また転倒モーメントの作用によるロッキング運動を拘束することができる、という効果をもたらすものであった。
【０００４】
上述した効果をもたらす積層ゴム支承体においても、該積層ゴム支承体に地震などの強い水平方向の相対変位が加わった場合、当該相対変位は積層ゴム支承体の上、下部取付プレートと構造物側および基礎側取付部材とを固定するボルト等の固定手段を介して積層ゴム支承体に作用すること、また当該相対変位は該ボルト等の固定手段に強い剪断力を及ぼすことから、該ボルト等の固定手段をより強固なものとする必要があるという設計、製作上の問題点が提起された。
【０００５】
本発明は、前記諸点に鑑みてなされたものであって、その目的とするところは、上記従来技術の利点はそのまま有効に利用し、地震などの強い水平方向の相対変位が加わった場合でも、当該相対変位を直接積層ゴム支承体に作用させ、積層ゴム支承体の上、下部取付プレートと構造物側および基礎側取付部材とを固定するボルト等の固定手段に剪断応力を集中させることのない積層ゴム支承構造を提供することにある。
【０００６】
【課題を解決するための手段】
前記目的を達成すべき、本発明によれば、中央部に凹部を備えた上、下部厚肉補強板と該上、下部厚肉補強板間に所定の間隔を保持して位置せしめられた複数個の薄肉補強板と該薄肉補強板間および該上、下部厚肉補強板ならびに薄肉補強板の外周面を覆って一体に形成されたゴム弾性体とから成る積層ゴム支承体の該上、下部厚肉補強板の凹部には、円板状部と円柱状部とから成る係合部材がそれぞれ該円板状部を嵌合させ、該円柱状部を該凹部開口部より突出させて配されており、該凹部開口部より突出した係合部材の円柱状部には、中央部に貫通孔を備えた上、下部取付プレートが該貫通孔を嵌挿させて配されているとともに該積層ゴム支承体の上、下部厚肉補強板と上、下部取付プレートとはそれぞれボルトによって締結一体化されており、該積層ゴム支承体は上、下部取付プレートの貫通孔より突出した係合部材の円柱状部を構造物側取付部材と基礎側取付部材の係合孔にそれぞれ嵌合させて両取付部材間に配されているとともに該上、下部取付プレートはそれぞれ構造物側および基礎側取付部材に固定されている積層ゴム支承構造が提供される。
【０００７】
また、本発明によれば、積層ゴム支承体はその中央部に貫通孔が上、下部厚肉補強板の凹部に開口して設けられており、該貫通孔には鉛プラグが挿入されてなる上記の積層ゴム支承構造が提供される。
【０００８】
本発明において、ゴム弾性体の素材としては、天然ゴム、シリコンゴム、高減衰ゴム、ウレタンゴム、クロロプレンゴム等を挙げることができる。また、薄肉補強板としては、鋼板、炭素繊維、ガラス繊維もしくはアラミド繊維等の繊維補強合成樹脂板または繊維補強硬質ゴム板等を挙げることができる。
【０００９】
【発明の実施の形態】
以下、本発明の実施の形態を、好ましい実施例に基づいて説明する。
【００１０】
【実施例】
図１および図２において、積層ゴム支承体１は、中央部に凹部２と該凹部２を囲んで放射状に複数個形成された雌ねじ穴３を備え、該凹部２の開口部を上方に向けて上部に位置せしめられた上部厚肉補強板４と、中央部に凹部５と該凹部５を囲んで放射状に複数個形成された雌ねじ穴６を備え、該凹部５の開口部を下方に向けて下部に位置せしめられた下部厚肉補強板７と、該上、下部厚肉補強板４、７間に所定の間隔（建築物用は４〜８ｍｍ、橋梁・高架道路用は１０〜４０ｍｍ）を保持して位置せしめられた複数個の薄肉補強板８と、該補強板間および該補強板の外周面を覆って一体に形成されたゴム弾性体９との積層構造から成る。
【００１１】
１０は係合部材であり、該係合部材１０は円板状部１１と該円板状部１１と一体に形成され、該円板状部より小径の円柱状部１２とからなる。該係合部材１０は該円板状部１１を前記積層ゴム支承体１の上、下部厚肉補強板４、７の凹部２、５にそれぞれ嵌合させ、円柱状部１２を該凹部２、５の開口部より突出させて配されている。
【００１２】
１３は前記前記積層ゴム支承体１の上部厚肉補強板４の上面に配される上部取付プレートであり、該上部取付プレート１３は中央部に貫通孔１４を備え、上面に該貫通孔１４を囲んで放射状に形成された複数個の凹所１５と該凹所１５の底部に形成された挿通孔１６を備えているとともに、該上部取付プレート１３の外周縁部にはその周方向に複数個の取付孔１７が形成されている。該上部取付プレート１３は中央部の貫通孔１４を前記積層ゴム支承体１の上部厚肉補強板４の凹部２の開口部より突出して配された係合部材１０の円柱状部１２に嵌挿させ、挿通孔１６を該上部厚肉補強板４の上面に形成された雌ねじ穴３に合致させて該上部厚肉補強板４の上面に位置せしめられている。このとき、上部取付プレート１３の貫通孔１４に嵌挿された係合部材１０の円柱状部１２は該貫通孔１４より突出している。
【００１３】
１８は前記前記積層ゴム支承体１の下部厚肉補強板７の下面に配される下部取付プレートであり、該下部取付プレート１８は中央部に貫通孔１９を備え、下面に該貫通孔１９を囲んで放射状に形成された複数個の凹所２０と該凹所２０の底部に形成された挿通孔２１を備えているとともに、該下部取付プレート１８の外周縁部にはその周方向に複数個の取付孔２２が形成されている。該下部取付プレート１８は中央部の貫通孔１９を前記積層ゴム支承体１の下部厚肉補強板７の凹部５の開口部より突出して配された係合部材１０の円柱状部１２に嵌挿させ、挿通孔２１を該下部厚肉補強板７の下面に形成された雌ねじ穴６に合致させて該下部厚肉補強板４の下面に位置せしめられている。このとき、下部取付プレート１８の貫通孔１９に嵌挿された係合部材１０の円柱状部１２は該貫通孔１９より突出している。
【００１４】
該上、下部取付プレート１３、１８は、該上、下部取付プレート１３、１８に形成された凹所１５、２０および挿通孔１６、２１を挿通し、上、下部厚肉補強板４、７に形成された雌ねじ穴３、６に螺合するボルト２３によって、該積層ゴム支承体１の上、下部厚肉補強板４、７に締結一体化されている。
【００１５】
このように上、下部取付プレート１３、１８を一体に備えた積層ゴム支承体１は該下部取付プレート１８の貫通孔１９より突出した係合部材１０の円柱状部１２を、アンカーボルトＢによって固定された基礎側取付部材２４の孔２５に嵌合させ、下部取付プレート外周縁部の取付孔２２を該アンカーボルトＢに嵌挿させるとともに、該上部取付プレート１３の貫通孔１４より突出した係合部材１０の円柱状部１２を構造物側取付部材２６の孔２７に嵌合させ、上部取付プレート外周縁部の取付孔１７を該構造物側取付部材２６の取付孔２８に合致させて構造物と基礎との間に配置される。
【００１６】
そして、積層ゴム支承体１は下部取付プレート１８をアンカーボルトＢに螺合するナット２９の締結により基礎側取付部材２４に、上部取付プレート１３の取付孔１７と構造物側取付部材２６の取付孔２８を挿通するボルト３０と該ボルト３０に螺合するナット３１の締結により構造物側取付部材２５にそれぞれ固定させて、構造物と基礎との間に固定される。
【００１７】
以上のように構造物側取付部材２６と基礎側取付部材２４との間に配された積層ゴム支承体１は、常時は構造物の荷重を支持する。地震等により積層ゴム支承体１に水平方向の大きな相対変位が生じた場合、当該相対変位に基づく剪断力は積層ゴム支承体１の上、下部取付プレート１３、１８と構造物側および基礎側取付部材２６、２４とを結合する係合部材１０を介して直接積層ゴム支承体１に作用することになり、当該相対変位は積層ゴム支承体１によって抑制吸収される。
【００１８】
また、相対変位に基づく剪断力は前記係合部材１０を介して直接積層ゴム支承体１に作用するため、積層ゴム支承体１の上部取付プレート１３と構造物側取付部材２５を結合するボルト３０および下部取付プレート１８と基礎側取付部材２４を結合するアンカーボルトＢの境界面における剪断応力の集中が回避され、当該境界面での破断等を生じることはない。
【００１９】
図３は、積層ゴム支承体１の他の実施例を示すもので、この積層ゴム支承体１は前述した積層ゴム支承体１の構成に加えて、その中央部に上、下部厚肉補強板４、７の凹部２、５に開口する円孔３２を備えるとともに該円孔３２内に鉛プラグ３３が密に挿入された構成を採るものである。この鉛プラグ３３は構造物と基礎との間に地震等により大きな水平変位を生じた場合、当該水平変位を吸収する作用をなすものである。
【００２０】
【発明の効果】
本発明は上述した構成から成るもので、建築、構築物等の構造物とその基礎との間に配された積層ゴム支承体に、地震等により大きな水平方向の相対変位が生じた場合でも、当該相対変位は積層ゴム支承体の上、下部取付プレートと構造物側および基礎側取付部材とを連結する係合部材を介して直接積層ゴム支承体に作用するので、当該相対変位は積層ゴム支承体によって速やかに抑制吸収される。また、地震等による水平変位に基づく剪断力は係合部材を介して直接積層ゴム支承体に作用し、積層ゴム支承体の上、下部取付プレートと構造物側および基礎側取付部材とを結合するボルト等の固定手段に直接剪断が作用することはないので、ボルト等の境界面における剪断応力の集中が回避され、当該境界面での破断等を生じることはない。
【図面の簡単な説明】
【図１】本発明の好ましい一実施例を示す断面図である。
【図２】図１のＡ−Ａ線断面図である。
【図３】本発明の好ましい他の実施例を示す断面図である。
【符号の説明】
１  積層ゴム支承体
２、５  凹部
３、６  雌ねじ穴
４  上部厚肉補強板
７  下部厚肉補強板
８  薄肉補強板
９  ゴム弾性体
１０  係合部材
１１  円板状部
１２  円柱状部
１３  上部取付プレート
１４  貫通孔
１７  取付孔
１８  下部取付プレート
１９  貫通孔
２２  取付孔
２４  基礎側取付部材
２５  孔
２６  構造物側取付部材
２７  孔
【図１】
0003649791.tif 000002
【図２】
0003649791.tif 000003
【図３】
0003649791.tif 000004